(57)【要約】【課題】被保持体を外部キャビネット内に強固に保持することができる保持構造を実現する。【解決手段】投写光学系２０は、板状部２０２ａ、２０５ａが、ブッシュ８０ｃを介して上面側キャビネット１ａからのボス８０ａと、底面側キャビネット１ｂからのボス８０ｂとの間に挟持されることによりキャビネット内に装着される。投写光学系２０は、キャビネト全体により立体構造で保持される。したがって、投写光学系２０を、キャビネット内に強固に保持することができる。【選択図】図１２
2008250282.tif 000002
【特許請求の範囲】
【請求項１】
第１のキャビネットと第２のキャビネットとを組み合わせてなる外部キャビネット内に被保持体を保持する保持構造において、
前記第１のキャビネットに設けた第１の支持部と、
前記第２のキャビネットに設けた第２の支持部と、
前記被保持体に設けた被挟持部と、を備え、
前記第１の支持部と前記第２の支持部とで前記被狭持部を挟持することにより、被保持体を保持した、
ことを特徴とする保持構造。
【請求項２】
請求項１に記載の保持構造において、
前記第１の支持部と前記第２の支持部とで前記被狭持部を挟持した状態において、前記第１の支持部と前記第２の支持部とを結合する固定具を備える、
ことを特徴とする保持構造。
【請求項３】
請求項１または請求項２に記載の保持構造において、
前記被挟持部を前記第１の支持部と前記第２の支持部とで挟持したときに、前記被挟持部と前記第１の支持部および前記第２の支持部との間に介在する弾性体を備える、
ことを特徴とする保持構造。
【請求項４】
請求項３に記載の保持構造において、
前記弾性体には、挟持方向に沿う当り面が形成されるとともに、前記第１の支持部および前記第２の支持部の少なくとも一方には、前記被挟持部を挟持したときに、前記当り面に対峙する被当り面が形成され、前記当り面と前記被当り面が当接することで、挟持方向に垂直な方向への前記被保持体の動きが規制される、
ことを特徴とする保持構造。
【請求項５】
映像信号に応じて変調された光を被投写面に拡大投写させる投写光学系を、第１のキャビネットと第２のキャビネットとを組み合わせてなる外部キャビネット内に保持する投写型表示装置において、
前記第１のキャビネットに設けた第１の支持部と、
前記第２のキャビネットに設けた第２の支持部と、
前記投写光学系に設けた被挟持部と、を備え、
前記第１の支持部と前記第２の支持部とで前記被狭持部を挟持することにより、前記投写光学系を前記外部キャビネット内に保持した、
ことを特徴とする投写型表示装置。
【請求項６】
請求項５に記載の投写型表示装置において、
前記第１の支持部と前記第２の支持部とで前記被狭持部を挟持した状態において、前記第１の支持部と前記第２の支持部とを結合する固定具を備える、
ことを特徴とする保持構造。
【請求項７】
請求項５または請求項６に記載の投写型表示装置において、
前記被挟持部を前記第１の支持部と前記第２の支持部とで挟持したときに、前記被挟持部と前記第１の支持部および前記第２の支持部との間に介在する弾性体を備える、
ことを特徴とする投写型表示装置。
【請求項８】
請求項７に記載の投写型表示装置において、
前記弾性体には、挟持方向に沿う当り面が形成されるとともに、前記第１の支持部および前記第２の支持部の少なくとも一方には、前記被挟持部を挟持したときに、前記当り面に対峙する被当り面が形成され、前記当り面と前記被当り面が当接することで、挟持方向に垂直な方向への前記被保持体の動きが規制される、
ことを特徴とする投写型表示装置。
【発明の詳細な説明】
【技術分野】
【０００１】
本発明は、第１のキャビネットと第２のキャビネットとを組み合わせてなる外部キャビネット内に被保持体を保持する保持構造に関する。また、本発明は、表示素子上の画像を被投写面上に拡大投写する投写型表示装置に関する。
【背景技術】
【０００２】
表示素子（液晶パネル等）上の画像を被投写面（スクリーン等）上に拡大投写する投写型表示装置（以下、「プロジェクタ」という）が商品化され広く普及している。この種のプロジェクタでは、スクリーンとプロジェクタ本体の距離を短くするために、投写光学系の広角化とともに、投写光の進行方向を投写光学系の光軸に対して傾斜させる、斜め投写の構成をとるプロジェクタが提案されている。
【０００３】
例えば、以下の特許文献１に記載の発明では、投写光学系として大画角の広角レンズが用いられ、表示素子とスクリーンを投写光学系の光軸に対して互いに相反する方向にシフトさせることにより、投写距離が短縮されると共に、歪曲のない斜め投写が実現されている。しかし、この先行発明では、大画角の広角レンズが必要なため、レンズの大型化に伴うコストの上昇とプロジェクタ本体の大型化が問題となる。
【０００４】
これに対し、以下の特許文献２に記載の発明では、投写光学系として投写レンズユニットとミラーが用いられ、表示素子上の画像を投写レンズユニットとミラーの間に中間像として結像させ、この中間像をミラーによって拡大投写することにより、投写距離の短縮が実現されている。この先行発明によれば、比較的小さな曲面のミラーによって広角化が実現されるため、コストの上昇とプロジェクタ本体の大型化を抑制することができる。
【０００５】
この種のプロジェクタでは、一般に、投写レンズユニットとミラーをハウジング内に装着し、このハウジングを、外部キャビネット内に保持する構成がとられる。この場合、ハウジングを保持する構造として、例えば、特許文献３に記載された発明の構造を採用することが考えられる。
【０００６】
特許文献３に記載の発明は、液晶パネル、ダイクロイックミラーなどを搭載した光学ベース（光学エンジン）を、筐体（キャビネット）に取り付けるための取付構造である。この発明では、筐体の底面にスペーサを取り付け、このスペーサに弾性ブッシュを介して被保持体である光学ベースを載せ、上方から光学ベースをスペーサにネジ止めするようにしている。この発明では、光学ベースを、弾性ブッシュおよびスペーサを介して筐体の底面のみで保持するようにしている。すなわち、光学ベースは、いわゆる面構造で保持されている。
【０００７】
投写レンズユニットとミラーとをハウジング内に装着してなる投写光学系は、光学エンジンに比べてはるかに重い。したがって、このような高重量の被保持体である投写光学系を、特許文献３に記載された保持構造で保持した場合、投写光学系に衝撃が加わったときにそれを保持する外部キャビネットの底面が変形してしまう惧れがある。
【特許文献１】特開平０５−１００３１２号公報
【特許文献２】特開２００４−２５８６２０号公報
【特許文献３】特開平０７−２８７２０４号公報
【発明の開示】
【発明が解決しようとする課題】
【０００８】
本発明は、上記課題を解消するためになされたものであり、被保持体を外部キャビネット内に強固に保持することができる保持構造を実現することを課題とする。また、このような保持構造を備えることにより、高重量物であるの投写光学系を外部キャビネット内に強固に保持することができる投写型表示装置を提供することを課題とする。
【課題を解決するための手段】
【０００９】
上記課題に鑑み本発明は、以下の特徴を有する。
【００１０】
請求項１に係る発明は、第１のキャビネットと第２のキャビネットとを組み合わせてなる外部キャビネット内に被保持体を保持する保持構造において、前記第１のキャビネットに設けた第１の支持部と、前記第２のキャビネットに設けた第２の支持部と、前記被保持体に設けた被挟持部とを備え、前記第１の支持部と前記第２の支持部とで前記被狭持部を挟持することにより被保持体を保持したことを特徴とする。
【００１１】
請求項２に係る発明は、請求項１に記載の保持構造において、前記第１の支持部と前記第２の支持部とで前記被狭持部を挟持した状態において、前記第１の支持部と前記第２の支持部とを結合する固定具を備えることを特徴とする。
【００１２】
請求項３に係る発明は、請求項１または請求項２に記載の保持構造において、前記被挟持部を前記第１の支持部と前記第２の支持部とで挟持したときに、前記被挟持部と前記第１の支持部および前記第２の支持部との間に介在する弾性体を備えることを特徴とする。
【００１３】
請求項４に係る発明は、請求項３に記載の保持構造において、前記弾性体には、挟持方向に沿う当り面が形成されるとともに、前記第１の支持部および前記第２の支持部の少なくとも一方には、前記被挟持部を挟持したときに、前記当り面に対峙する被当り面が形成され、前記当り面と前記被当り面が当接することで、挟持方向に垂直な方向への前記被保持体の動きが規制されることを特徴とする。
【００１４】
請求項５に係る発明は、映像信号に応じて変調された光を被投写面に拡大投写させる投写光学系を、第１のキャビネットと第２のキャビネットとを組み合わせてなる外部キャビネト内に保持する投写型表示装置において、前記第１のキャビネットに設けた第１の支持部と、前記第２のキャビネットに設けた第２の支持部と、前記投写光学系に設けた被挟持部とを備え、前記第１の支持部と前記第２の支持部とで前記被狭持部を挟持することにより、前記投写光学系を前記外部キャビネット内に保持したことを特徴とする。
【００１５】
請求項６ないし８に係る発明は、前記投写光学系を保持する保持機構を、上記請求項２ないし４の何れかに記載のように構成したことを特徴とする。
【００１６】
例えば、投写光学系は、投写レンズユニットと、投写レンズユニットから出射される光を被投写面に向かって反射するミラー部と、これら投写レンズユニットおよびミラー部が装着されるハウジングとで構成される。
【発明の効果】
【００１７】
本発明の請求項１の構成によれば、第１のキャビネットの第１の支持部と第２のキャビネットの第２の支持部との双方によって被保持体を支持することができる。これにより、被保持体は、外部キャビネット全体により立体構造で保持される。したがって、被保持体を、外部キャビネット内に強固に保持することができ、被保持体に衝撃が加わっても、外部キャビネットが変形などを起こしにくくすることができる。
【００１８】
加えて、請求項２の構成とすれば、被保持体の外部キャビネットへの固定と、第１のキャビネットと第２のキャビネットとの固定の両方を１つの固定具で行うことができ、固定具の削減を図ることができると共に、組立工数の削減を図ることができる。
【００１９】
加えて、請求項３の構成とすれば、外部キャビネットに振動や衝撃が加わったときに、この振動や衝撃を弾性体によって吸収することができ、被保持体に振動や衝撃が伝わりにくくすることができる。
【００２０】
さらに、請求項４の構成とすれば、被保持体の挟持方向に垂直な方向への動きを、当り面と被当り面との当接によって規制するようにしているので、挟持方向に垂直な方向に対しても被保持体をしっかりと保持することができる。
【００２１】
本発明の請求項５の構成によれば、投写光学系を、外部キャビネット内に強固に保持することができ、投写光学系に衝撃が加わっても、外部キャビネットが変形などを起こしにくくすることができる。また、請求項６ないし８の構成によれば、請求項２ないし３と同様の効果が奏される。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２３】
以下、図面を参照して、実施の形態に係るプロジェクタの構成を説明する。
【００２４】
図１ないし図７は、外部キャビネットを省略した状態のプロジェクタを示す図である。図１は、プロジェクタの外観斜視図、図２、図３、図４、図５、図６および図７は、それぞれ、プロジェクタの上面図、底面図、右側面図、左側面図、正面図および背面図である。なお、図２ないし図７には、メイン基板４０が取り外された状態のプロジェクタが示されている。また、図８および図９には、それぞれ、投写光学系の概観斜視図および断面図（模式図）が示されている。
【００２５】
図１ないし図７を参照して、プロジェクタは、光学エンジン１０と、投写光学系２０と、電源ユニット３０と、メイン基板４０と、ＡＶ端子部５０と、吸気ファン６０と、排気ファン７０と、ＡＣインレット９０を備えている。なお、８０ａは上面側キャビネットからのボス、８０ｂは底面側キャビネットからのボス、８０ｃは振動吸収用のブッシュである。
【００２６】
投写光学系２０は、図８に示す板状部２０２ａ、２０５ａが、図１、図２、図３に示すように、ブッシュ８０ｃを介してボス８０ａ、８０ｂ間に挟持されることによりキャビネット内に装着される。投写光学系２０は、振動吸収用のブッシュ８０ｃを介して挟持されているため、投写光学系２０に衝撃が伝わり難くなっている。また、投写光学系２０は、振動吸収用のブッシュ８０ｃを介して上面側キャビネットからのボス８０ａおよび底面側キャビネットからのボス８０ｂにより支持されているため、支持強度が向上している。
【００２７】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図２に示すように、光源１０１は、Ｘ軸方向に光を照射するよう配置され、投写光学系２０は光軸がＹ軸方向となるよう配置されている。なお、光学エンジン１０の構成および光学エンジン１０と投写光学系２０の位置関係については、追って、図１０を参照して説明する。
【００２８】
電源ユニット３０は、光源１０１およびメイン回路４０に電源を供給する。電源ユニット３０には、ＡＣインレット９０を介してＡＣ電圧が入力される。メイン回路４０は、プロジェクタを駆動および制御するための回路である。図１に示す如く、メイン回路４０を保持する回路基板は、光学エンジン１０の上面に、光学エンジン１０の一部を覆うようにして配置されている。また、メイン回路４０には、ＡＶ端子部５０を介してＡＶ（Audio Visual）信号が入力される。
【００２９】
図１および図３に示す如く、光学エンジン１０の底面側には３つの吸気ファン６０が配されている。これら吸気ファン６０によって吸気されたエアーは、光学エンジン１０の左側面側に配された排気ファン７０（図５参照）および背面側に配された排気ファン７０（図７参照）によって排気される。このように吸気ファン６０と排気ファン７０を配置することにより、吸気ファン６０によって吸気されたエアーは、光学エンジン１０の光学系、光源１０１および電源ユニット３０を通過するよう流れる。また、吸気されたエアーは、図２、図３および図６に示す如く、ダクト６１を介して光源１０１の側面に導かれ、光源１０１の側面から排気ファン７０に向かって流れる。かかるエアーの流れによって、これら部材に発生する熱が取り除かれる。
【００３０】
図８および図９に、投写光学系の概観斜視図および断面図を示す。なお、図９は、図８のＡ−Ａ’断面を模式的に示す図である。
【００３１】
同図において、２０１は投写レンズユニット、２０２はハウジング、２０３は埃防止カバー、２０４は反射ミラー、２０５はミラーカバー、２０６は光線通過窓である。
【００３２】
投写レンズユニット２０１は、投写光を中間結像面上に結像させるためのレンズ群と、これらレンズ群の一部を光軸方向に変位させて投写画像のフォーカス状態を調整するためのアクチュエータを備えている。ここで、投写レンズユニット２０１のフォーカス調整は、レバー２０１ａを投写レンズユニット２０１の光軸を軸として回転させることにより行われる。なお、このレバー２０１ａは、光線通過窓２０６から投写される投写光を遮らないよう、図８に示す如く、投写レンズユニット２０１の側方から突出するよう配置されている。
【００３３】
反射ミラー２０４は、非球面形状の反射面を有し、投写レンズユニット２０１から入射された投写光を広角化して、光線通過窓２０６から被投写面（スクリーン面）へ投写する。
【００３４】
投写レンズユニット２０１は、ハウジング２０２内に収容され、さらに、埃防止カバー２０３によって覆われる。また、反射ミラー２０４は、ミラーカバー２０５に収容され、ミラーカバー２０５をハウジング２０２に取り付けることにより、ハウジング２０２に装着される。
【００３５】
図９に示す如く、光学エンジン１０によって生成された合成光は、投写レンズユニット２０１の光軸からＺ軸方向に離間する位置において、投写レンズユニット２０１に入射される。このようにして入射された合成光は、投写レンズユニット２０１によってレンズ作用を受け、ミラー２０４に入射される。しかる後、合成光は、反射ミラー２０４によって広角化され、光線通過窓２０６を介して、被投写面（スクリーン面）へ投写される。
【００３６】
なお、上記の如く、光学エンジン１０からの合成光は、投写レンズユニット２０１の光軸よりもＺ軸方向にずれた位置において、投写レンズユニット２０１に入射されるため、反射ミラー２０４は、図９に示す如く、投写レンズユニット２０１の光軸から合成光のシフト方向と反対側にシフトするようにして配置される。ここで、反射ミラー２０４は、投写レンズユニット２０１を構成する各レンズのレンズ面よりも大きな反射面を有するため、投写レンズユニット２０１の光軸に対する反射ミラー２０４のシフト量は比較的大きなものとなる。このため、プロジェクタの底面側には、図４および図５に示す如く、比較的大きな空間Ｇが生じる。
【００３７】
次に、図１０を参照して、光学エンジン１０の主要構成について説明する。
【００３８】
光源１０１は、バーナとリフレクタから構成され、略平行な光を照明光学系１０２に出射する。光源１０１は、たとえば、超高圧水銀ランプから構成される。照明光学系１０２は、フライアイインテグレータ、ＰＢＳ（偏光ビームスプリッタ）アレイおよびコンデンサレンズを備え、表示素子（液晶パネル）１０６、１０９、１１５に入射する際の各色光の光量分布を均一化させるとともに、ダイクロイックミラー１０３に向かう光の偏光方向を一方向に揃える。
【００３９】
ダイクロイックミラー１０３は、照明光学系１０２から入射された光のうち、青色波長帯の光（以下、「Ｂ光」という）のみを反射し、赤色波長帯（以下、「Ｒ光」という）と緑色波長帯（以下、「Ｇ光」という）を透過する。ミラー１０４は、ダイクロイックミラー１０３によって反射されたＢ光をコンデンサレンズ１０５に向かう方向に反射する。
【００４０】
コンデンサレンズ１０５は、Ｂ光が平行光で表示素子１０６に入射するよう、Ｂ光にレンズ作用を付与する。表示素子１０６は、青色用の映像信号に応じて駆動され、その駆動状態に応じてＢ光を変調する。なお、表示素子１０６の入射側と出射側には偏光板（図示せず）が配されている。
【００４１】
ダイクロイックミラー１０７は、ダイクロイックミラー１０３を透過したＲ光およびＧ光のうち、Ｇ光のみを反射する。コンデンサレンズ１０８は、Ｇ光が平行光で表示素子１０９に入射するよう、Ｇ光にレンズ作用を付与する。表示素子１０９は、緑色用の映像信号に応じて駆動され、その駆動状態に応じてＧ光を変調する。なお、表示素子１０９の入射側と出射側には偏光板（図示せず）が配されている。
【００４２】
リレーレンズ１１０、１１２は、表示素子１１５に対するＲ光の入射状態が表示素子１０６および１０９に対するＢ光およびＧ光の入射状態と等しくなるようＲ光にレンズ作用を付与する。ミラー１１１、１１３は、ダイクロイックミラー１０７を透過したＲ光を表示素子１１５に導くよう、Ｒ光の光路を変更する。
【００４３】
コンデンサレンズ１１４は、Ｒ光が平行光の状態で表示素子１１５に入射するよう、Ｒ光にレンズ作用を付与する。表示素子１１５は、赤色用の映像信号に応じて駆動され、その駆動状態に応じてＲ光を変調する。なお、表示素子１１５の入射側と出射側には偏光板（図示せず）が配されている。
【００４４】
ダイクロイックプリズム１１６は、表示素子１０６、１０９、１１５によって変調されたＢ光、Ｇ光およびＲ光のうち、Ｂ光とＲ光を反射するとともにＧ光を透過し、これにより、Ｂ光、Ｇ光およびＲ光を色合成する。色合成された光（合成光）は、上記の如く、投写光学系２０内の投写レンズユニット２０１に入射される。そして、反射ミラー２０４によって広角化され、光線通過窓２０６を介して、被投写面（スクリーン面）へ投写される。
【００４５】
図示の如く、光源１０１は、光の照射方向がＸ軸方向に向くように配置される。このように光源１０１を配置することにより、光源１０１は、プロジェクタが天吊設置、据え置き設置および机上設置の何れの形態で使用されても、常に、水平方向に光を照射するに位置づけられることとなる。このため、光源１０１が鉛直方向に配置されることによる光源１０１の寿命低下を抑制することができる。
【００４６】
また、図２および図１０に示す如く、光源１０１の光軸が投写レンズユニット２０１の光軸に直交するよう光源１０１が配置されるため、投写レンズユニット２０１の光軸方向における光学エンジン１０の寸法を抑制することができる。よって、投写距離を小さくすることができ、その結果、光線通過窓２０６から出射された光がスクリーンに到達する前に障害物によって遮られる可能性を低減することができる。
【００４７】
さて、投写光学系２０は、投写レンズユニット２０１や反射ミラー２０４で構成されており、光学エンジン１０に比べて、はるかに高重量（数倍程度の重量）となる。そこで、本実施の形態では、高重量物である投写光学系２０に衝撃が加わったときにそれを保持するキャビネット自身が変形などを起こさないよう、投写光学系２０を強固に保持するようにしている。
【００４８】
以下、投写光学系２０のキャビネット内への保持構造について、図１１、図１２に従って説明する。
【００４９】
図１１は、ブッシュ８０ｃを取り外した状態の投写光学系２０の上面図である。
【００５０】
板状部２０２ａは、ハウジング２０２において、ほぼ中央部の左右両側に設けられている。板状部２０２ａには、ブッシュ８０ｃが嵌め込まれる取付孔２０２ｂと、この取付孔２０２ｂにブッシュ８０ｃを嵌め込む際にブッシュ８０ｃが通される切欠部２０２ｃとが形成されている。
【００５１】
板状部２０５ａは、ハウジング２０２において、前側の左右の角部に設けられている。板状部２０５ａにも、同様に、ブッシュ８０ｃが嵌め込まれる取付孔２０５ｂと、この取付孔２０５ｂにブッシュ８０ｃを嵌め込む際にブッシュ８０ｃが通される切欠部２０５ｃとが形成されている。
【００５２】
図１２は、投写光学系２０をキャビネットに対して保持する保持構造を示す図である。ここでは、ハウジング２０２の左角部の板状部２０５ａにおける保持部分を前後方向に切断した要部縦断面図が示されている。以下、この部分の保持構造について説明するが、その他の部分、すなわち、ハウジング２０２の右角部の板状部２０５ａ、中央部左右両側の板状部２０２ａにおける保持構造についても、これと同様な構造となっている。
【００５３】
キャビネットを構成する上面側キャビネット１ａと底面側キャビネット１ｂは、共に合成樹脂で作られている。ボス８０ａは、上面側キャビネット１ａと一体に形成されており、ボス８０ｂは、底面側キャビネット１ｂと一体に形成されている。
【００５４】
ボス８０ａは、上面側キャビネット１ａの上面から垂下した支柱部８０１を含む。この支柱部８０１は、図１に示すように、その断面が略Ｕ字となる形状をしている。支柱部８０１の先端面には、下方へ突出する円柱状の突起部８０２が形成されている。この突起部８０２には、ナット８０３が埋め込まれている。
【００５５】
ボス８０ｂは、底面側キャビネット１ｂの底面から上方へ突出した支柱部８１１を含む。この支柱部８１１の先端面には、上方に突出する円柱状の突起部８１２が形成されている。ボス８０ｂは、支柱部８１１から突起部８１２にかけて内部が中空な構造をしている。この中空部分は底面側キャビネット１ｂの外底面まで及んでおり、ボス８０ａとボス８０ｂとを結合する際に固定ネジ８３０が収容される収容凹部８１３となっている。突起部８１２の先端面には、固定ネジ８３０が通される貫通孔８１４が形成されている。また、支柱部８１１の先端面には、ワッシャ８４０が配置されている。
【００５６】
ハウジング２０２の板状部２０５ａの取付孔２０５ｂには、ブッシュ８０ｃが嵌め込まれている。ブッシュ８０ｃは、ゴムなどの弾性体でできており、中央に挿入孔８２１を有する略ドーナツ形をしている。ブッシュ８０ｃの外周面には、全周に亘って溝部８２２が形成されており、この溝部８２２が、板状部２０５ａの取付孔２０５ｂの内周縁と嵌合している。ボス８０ａの突起部８０２の外径およびボス８０ｂの突起部８１２の外径は、ブッシュ８０ｃの内径とほぼ等しくされている。
【００５７】
こうして、組立の際には、まず、底面側キャビネット１ａのボス８０ｂ上にハウジング２０２の板状部２０５ａを載せる。このとき、ブッシュ８０ｃの挿入孔８２１をボス８０ｂの突起部８１２に嵌め込む。ブッシュ８０ｃは、ワッシャ８４０の上に載る。
【００５８】
次に、上面側キャビネット１ａを底面側キャビネット１ｂに被せる。このとき、ボス８０ａの突起部８０２をブッシュ８０ｃの挿入孔８２１内に嵌め込む。突起部８０２と突起部８１２の先端面が互いに挿入孔８２１内において当接する。
【００５９】
次に、固定ネジ８３０を、収容凹部８１３側から小径部８１２の貫通孔８１４に通し、突起部８０２のナット８０３に螺合させる。これにより、ボス８０ａとボス８０ｂとが結合される。このとき、ブッシュ８０ｃが、ボス８０ａの支柱部８０１の先端面とボス８０ｂの支柱部８１１の先端面との間に、わずかに押しつぶされるようにして挟まれ、板状部２０５ａがブッシュ８０ｃを介して挟まれる。
【００６０】
こうして、図１２に示す如く、ハウジング２０２の板状部２０５ａがボス８０ａとボス８０ｂとの間に挟持され、ハウジング２０２がキャビネットに固定される。また、同時に、上面側キャビネット１ａと底面側キャビネット１ｂとが固定される。
【００６１】
ハウジング２０２の左右方向（挟持方向に垂直な方向）への動きは、ブッシュ８０ｃの挿入孔８２１の内周壁（本発明の当り面に相当）と突起部８０２および突起部８１２の外周壁（本発明の被当り面に相当）との当接によって規制される。
【００６２】
このように、本実施の形態によれば、投写光学系２０を、上面側キャビネット１ａからのボス８０ａと底面側キャビネット１ｂからのボス８０ｂとの双方により支持することができる。これにより、投写光学系２０は、底面側キャビネット１ｂのみにより面構造で保持されるのではなく、キャビネット全体により立体構造で保持される。よって、重量物である投写光学系２０を、強固に保持することができ、投写光学系２０に衝撃が加わっても、キャビネットの変形などを起こしにくくすることができる。
【００６３】
また、固定ネジ８３０によって、投写光学系２０のキャビネットへの固定と、上面側キャビネット１ａと底面側キャビネット１ｂとの固定の両方を同時に行うことができる。よって、ネジの本数の削減を図ることができると共に、組立工数の削減を図ることができる。
【００６４】
さらに、投写光学系２０は、ブッシュ８０ｃを介してキャビネットに保持されている。よって、キャビネットに振動や衝撃が加わったときに、この振動や衝撃をブッシュ８０ｃによって吸収することができ、投写光学系２０に振動や衝撃が伝わりにくくすることができる。
【００６５】
なお、投写光学系２０は、光学エンジン１０とネジ止めなどにより一体化された状態でキャビネットに取り付けられる。このとき、光学エンジン１０も、ネジ止め等によってキャビネットに取り付けられる。
【００６６】
ところが、キャビネットに対する投写光学系２０と光学エンジン１０の取付位置に寸法誤差が生じると、投写光学系２０と光学エンジン１０が一体化されたユニットに不要な外力が加わり、このユニットに形状歪が発生する。これにより、光学投写系２０と光学エンジン１０の間に光軸ズレ等が生じ、これに起因して画像劣化が生じる惧れがある。
【００６７】
これに対し、本実施の形態では、投写光学系２０を、ブッシュ８０ｃを介してボス８０ａ、８０ｂに取り付けるようにしているので、上記寸法誤差をブッシュ８０ｃの弾性範囲で吸収することができる。よって、投写光学系２０と光学エンジン１０との間の位置関係を適正に維持することができ、上記形状歪に基づく画像劣化を防止することができる。
【００６８】
さらに、本実施の形態では、投写光学系２０の左右方向（挟持方向に垂直な方向）への動きを、ブッシュ８０ｃの挿入孔８２１の内周壁と突起部８０２および突起部８１２の外周壁との当接によって規制するようにしているので、左右方向に対してもハウジング２０２をしっかりと保持することができる。
【００６９】
なお、上記実施の形態では、ボス８０ａ、８０ｂの双方に突起部８０２、８１２が設けられており、これら突起部８０２，８１２の双方の外周壁が、ブッシュ８０ｃの挿入孔８２１の内周壁と当接している。しかしながら、このような構成に限らず、例えば、ボス８０ａには突起部を設けず、ボス８０ｂの突起部８１２をボス８０ａの支柱部８０２の先端面まで延ばし、ブッシュの８０ｃの挿入孔８２１の内周壁が突起部８１２の外周壁のみに当接する構成としてもよい。すなわち、ボス８０ａとボス８０ｂのどちらか一方だけに、本発明の被当り面に相当する部位が設けられてもよい。
【００７０】
以上、本発明の実施の形態について説明したが、本発明は、上記実施の形態によって制限されるものではない。また、本発明の実施形態は上記の他、種々の変更が可能である。
【図面の簡単な説明】
【００７１】
【図１】実施の形態に係るプロジェクタの構成を示す図（斜視図）
【図２】実施の形態に係るプロジェクタの構成を示す図（上面図）
【図３】実施の形態に係るプロジェクタの構成を示す図（底面図）
【図４】実施の形態に係るプロジェクタの構成を示す図（右側面図）
【図５】実施の形態に係るプロジェクタの構成を示す図（左側面図）
【図６】実施の形態に係るプロジェクタの構成を示す図（正面図）
【図７】実施の形態に係るプロジェクタの構成を示す図（背面図）
【図８】実施の形態に係る投写光学系の構成を示す図（斜視図）
【図９】実施の形態に係る投写光学系の構成を示す図（断面図）
【図１０】実施の形態に係る光学エンジンの構成を示す図
【図１１】実施の形態に係る投写光学系の板状部の構成を示す図
【図１２】実施の形態に係る投写光学系のキャビネットへの取付構造を示す図
【符号の説明】
【００７２】
１ａ  …  上面側キャビネット
１ｂ  …  底面側キャビネット
２０  …  投写光学系
８０ａ、８０ｂ  …  ボス
８０ｃ  …  ブッシュ
８３０  …  固定ネジ
２０１  …  投写レンズユニット
２０２  …  ハウジング
２０２ａ、２０５ａ  …  板状部
２０４  …  反射ミラー
【図１】
2008250282.tif 000003
【図２】
2008250282.tif 000004
【図３】
2008250282.tif 000005
【図４】
2008250282.tif 000006
【図５】
2008250282.tif 000007
【図６】
2008250282.tif 000008
【図７】
2008250282.tif 000009
【図８】
2008250282.tif 000010
【図９】
2008250282.tif 000011
【図１０】
2008250282.tif 000012
【図１１】
2008250282.tif 000013
【図１２】
2008250282.tif 000014